【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
赤外線画像に注釈を付ける方法であって、
赤外線機器によって捕捉された資源の赤外線画像であって、該資源に関連して１つ以上のタグと共にフォルダ内に蓄積された赤外線画像を該フォルダに蓄積することと、
上記資源に関連したタグに対応する少なくとも１つのタグを有する補助情報を、非赤外線機器から、受信することと、
該少なくとも１つのタグに基づいて、前記赤外線画像とともに前記フォルダ内に該補助情報を蓄積することと、
上記フォルダ内に蓄積された上記補助情報の形式を表す１つ以上のアイコンにより前記赤外線画像に注釈を付けることと、
上記フォルダ内に蓄積された上記補助情報の形式を表す１つ以上のアイコンと共に注釈を付された資源の赤外線画像を利用者に表示することと
を備えた方法。
【請求項２】
前記非赤外線装置から前記補助情報を無線で受信することを更に備えた請求項１の方法。
【請求項３】
上記補助情報は、視覚画像、ビデオ画像及びサウンド記録を含む１つ以上の形式の情報を備え、それぞれの視覚画像、ビデオ画像又はサウンド記録は、上記資源に関連した上記タグに対応する少なくとも１つのタグを有する請求項１の方法。
【請求項４】
前記フォルダ内に蓄積された補助情報の形式に対応するアイコンの利用者の選択を受信して、該選択されたアイコンに基づいて、その選択されたアイコンに対応する補助情報を利用者に提供することを更に備える請求項１の方法。
【請求項５】
タグは、資源の識別を表す情報を備える請求項１の方法。
【請求項６】
タグは、コード化された画像を備える請求項１の方法。
【請求項７】
上記タグは、シリアル番号、バー・コード又はマトリクス・コードを備える請求項６の方法。
【請求項８】
タグは、上記赤外線画像、視覚画像、ビデオ画像又はサウンド記録が捕捉されたときの日付／時刻スタンプを備える請求項３の方法。
【請求項９】
タグは、上記資源の地理的位置に対応する地理的位置コードを備える請求項１の方法。
【請求項１０】
上記アイコンが、上記フォルダに補助情報として蓄積された視覚画像、ビデオ画像又はサウンド記録から成るグループのうちの１つ以上を表す請求項１の方法。
【請求項１１】
視覚画像、ビデオ画像及びサウンド記録から成るグループのうちの１つ以上を捕捉することを更に備え、上記視覚画像、ビデオ画像及びサウンド記録のそれぞれが上記資源に関連するタグに対応する少なくとも１つのタグとともに蓄積されている請求項１の方法。
【請求項１２】
前記資源の赤外線画像を赤外線カメラによって捕捉することを更に備える請求項１の方法。
【請求項１３】
視覚画像、ビデオ画像又はサウンド記録をスマートフォンによって補足することと、上記捕捉した視覚画像、ビデオ画像又はサウンド記録を、上記赤外線画像を保持するフォルダに蓄積するために無線で伝送することとを更に備える請求項１の方法。
【請求項１４】
注釈の付いた上記赤外線画像を赤外線カメラ内に蓄積することを更に備える請求項１の方法。
【請求項１５】
注釈の付いた上記赤外線画像をスマートフォン内に蓄積することを更に備える請求項１の方法。
【請求項１６】
注釈の付いた上記赤外線画像をコンピュータ内に蓄積することを更に備える請求項１の方法。
【請求項１７】
上記コンピュータは、パーソナル・コンピュータ又はタブレット・コンピュータを備える請求項１６の方法。
【請求項１８】
注釈の付いた上記赤外線画像をコンピュータ・クラウドストレージ内に蓄積することを更に備える請求項１の方法。
【請求項１９】
赤外線画像に注釈を付けるシステムであって、
赤外線機器によって捕捉された資源の赤外線画像であって、該資源に関連して１つ以上のタグと共にフォルダ内に蓄積された赤外線画像を該フォルダに蓄積する蓄積装置と、
上記資源に関連する補助情報及び少なくとも１つのタグを捕捉する非赤外線装置であって、該補助情報及び少なくとも１つのタグを無線で前記蓄積装置に伝送する非赤外線装置と、
前記資源に関連した少なくとも一つのタグに対応して前記フォルダに補助情報をソートするための配列プログラムであって、上記フォルダ内に蓄積された上記補助情報の形式を表す１つ以上のアイコンと共に上記フォルダ内の上記赤外線画像に注釈を付ける配列プログラムと、
上記配列プログラムを操作して、前記補助情報を上記フォルダ内に蓄積すると共に、上記フォルダ内の上記赤外線画像に少なくとも一つのアイコンを適用する上記蓄積装置内のプロセッサと、
該適用された少なくとも一つのアイコンと共に上記資源の赤外線画像を表示する表示器と
を備えたシステム。
【請求項２０】
タグは、上記資源の識別を表す情報を備える請求項１９のシステム。
【請求項２１】
タグは、コード化された画像を備える請求項１９のシステム。
【請求項２２】
上記タグは、シリアル番号、バー・コード又はマトリクス・コードを備える請求項２１のシステム。
【請求項２３】
タグは、上記赤外線画像が補足されたときの日付／時刻スタンプを備える請求項１９のシステム。
【請求項２４】
タグは、上記資源の地理的位置に対応する地理的位置コードを備える請求項１９のシステム。
【請求項２５】
上記補助情報を捕捉する装置は、上記資源に関連する視覚画像、ビデオ画像及びサウンド記録から成るグループのうちの１つ以上を捕捉するため、静止画像カメラ、ビデオ・カメラ及びサウンド・レコーダから成るグループのうちの１つ以上を備える請求項１９のシステム。
【請求項２６】
上記蓄積装置は、上記資源の上記赤外線画像を捕捉する赤外線カメラを備える請求項１９のシステム。
【請求項２７】
上記蓄積装置は、スマートフォン、コンピュータ・クラウドストレージ、パーソナル・コンピュータ、タブレット・コンピュータ、ビデオ・カメラ、デジタル・カメラ及びデジタル・レコーダから成るグループのうちの１つ以上である請求項１９のシステム。
【請求項２８】
赤外線画像に注釈を付ける装置であって、
該装置から離間した非赤外線装置から伝送された、１つ以上のタグに関連した補助情報を無線で受信する入力と、
１つ以上のタグに関連する資源の赤外線画像をフォルダに蓄積するメモリと、
前記補助情報に関連した一以上のタグに従い前記フォルダに補助情報をソートするための配列プログラムであって、前記資源の赤外線画像を蓄積するフォルダに前記資源に関連した一以上のタグに対応した一以上のタグを有する補助情報をソートすることと、上記フォルダ内に蓄積された上記補助情報の形式を表す１つ以上のアイコンと共に上記フォルダ内に蓄積された上記赤外線画像に注釈を付けることを含む配列プログラムと、
上記配列プログラムを操作して、上記補助情報の上記１つ以上のタグに対応するタグを有する赤外線画像を有してフォルダに前記補助情報を蓄積し、上記各フォルダ内に蓄積された上記補助情報の形式を表す赤外線画像に一以上のアイコンを適用するプロセッサと、
上記資源の上記赤外線画像を適用された一以上のアイコンと共に表示する表示器と
を備えた装置。
【請求項２９】
上記装置は、赤外線カメラである請求項２８の装置。
【請求項３０】
タグは、上記資源の識別を表す情報を備える請求項２８の装置。
【請求項３１】
タグは、コード化された画像を備える請求項２８の装置。
【請求項３２】
タグは、シリアル番号、バー・コード又はマトリクス・コードを備える請求項３１の装置。
【請求項３３】
タグは、上記赤外線画像が補足されたときの日付／時刻スタンプを備える請求項２８の装置。
【請求項３４】
タグは、上記資源の地理的位置に対応する地理的位置コードを備える請求項２８の装置。
【請求項３５】
上記補助情報が、視覚画像、ビデオ画像及びサウンド記録から成るグループのうちの１つ以上を捕捉するための静止画像カメラ、ビデオ・カメラ及びサウンド・レコーダから成るグループのうちの１つ以上の非赤外線装置から無線で受信される請求項２８の装置。
【請求項３６】
上記装置は、スマートフォン、コンピュータ・クラウドストレージ、パーソナル・コンピュータ、タブレット・コンピュータ、ビデオ・カメラ、デジタル・カメラ及びデジタル・レコーダから成るグループのうちの１つ以上である請求項２８の装置。
【手続補正２】
【補正対象書類名】明細書
【補正対象項目名】００２６
【補正方法】変更
【補正の内容】
【００２６】
図６は、第４特定実施例を示す。ユーザは、赤外線カメラ１０を操作して、モータ２０又は他の資源の熱画像３５を捕捉する。赤外線カメラ１０は、組み込みバー・コード・リーダーを有するが、図示しない。これは、モータ２０上に、又はモータに極めて近接して配置されたバー・コードを読み取り、バー・コード・データをタグとして熱画像に付加し、熱画像３５及びバー・コード・データをフォルダ４０．４内に蓄積する。ユーザは、次に、スマートフォン１１を操作して、モータ２０に関する観察の静止画像、ビデオ画像及びサウンド記録を補足する。スマートフォン１１は、また、バー・コード５の画像を捕捉して、ユーザがバー・コード画像を静止画像及びビデオ画像並びにサウンド記録に付加できるようにする。これら画像及びサウンド記録は、メモリ及び配列アプリケーション・プログラムを有する赤外線カメラ１０に無線で送信される。配列プログラムは、バー・コード・データを識別して、モータの熱画像３５をフォルダ４０．４に蓄積する。配列プログラムは、また、画像及びサウンド記録のバー・コード・タグ・データを識別して、これら画像及びサウンド記録をフォルダ４０．４に蓄積する。これは、各々が熱画像３５と同じタグ情報を有するためである。配列プログラムは、アイコン３６〜３８を熱画像３５に追加し、注釈の付いたフォルダ４０．４をクラウド蓄積ファシリティ５０に無線で送信する。ここでは、有線又は無線接続５１及びインターネット５２を介して、これらフォルダを１つ以上の装置５３〜５６にダウンロードしてもよい。装置５３〜５６は、赤外線カメラ、スマートフォン、タブレット・コンピュータ、パーソナル・コンピュータ、又は、他の装置でもよく、これらは、下にある画像及び記録を開くことができるアイコンを有する熱画像を表示できる。装置５３〜５６のユーザ・インタフェースを操作することによって、ユーザは、アイコン３６〜３８を選択して、画像６、８を観察し、サウンド記録７を聞いてもよい。